(57)【要約】【課題】  羽毛布団などの寝具を嵩高の復元を可能にした状態で、かつ皺にならずに可及的に小さく圧縮梱包する。【解決手段】  長さ方向に折り曲げて重ねた寝具Ｓの折り曲げ箇所を円陣状に配される複数本の保持棒からなる巻き取り用回転部材１０中の保持棒１３の一つに引っかけ、巻き取り用回転部材を回転させることにより、保持棒の一つに引っかけた寝具を保持棒の回りに巻き付けて中空状に巻き取り、巻き取った寝具を巻き取り用回転部材から外して収容袋Ｆに収容し、収容袋内の空気を抜き取るとともに密封する。【選択図】      図４
2019151400.tif 000002
【特許請求の範囲】
【請求項１】
円陣状に配される複数本の保持棒からなる巻き取り用回転部材を円陣の中心を回転中心として回転自在に設けた巻き取り機を用意し、
寝具を折り曲げて重ねる工程、
重ねた寝具の折り曲げ箇所を巻き取り機中の保持棒の一つに引っかける工程、
巻き取り用回転部材を回転させることにより、保持棒の一つに引っかけた寝具を保持棒の回りに巻き付けて中空状に巻き取る工程、
を有することを特徴とする寝具の圧縮梱包方法。
【請求項２】
巻き取り機の巻き取り用回転部材は２本から６本のうちのいずれかの本数の保持棒を有する請求項１記載の寝具の圧縮梱包方法。
【請求項３】
寝具は布団である請求項１または２記載の寝具の圧縮梱包方法。
【請求項４】
寝具は枕である請求項１または２記載の寝具の圧縮梱包方法。
【請求項５】
円陣状に配される複数本の保持棒からなる巻き取り用回転部材を円陣の中心を回転中心として回転自在に設けた巻き取り機を用意し、
寝具を折り曲げて重ねる工程、
重ねた寝具の折り曲げ箇所を巻き取り機中の保持棒の一つに引っかける工程、
巻き取り用回転部材を回転させることにより、保持棒の一つに引っかけた寝具を保持棒の回りに巻き付けて中空状に巻き取る工程、
巻き取った寝具を巻き取り用回転部材から外して収容袋に収容する工程、
収容袋内の空気を抜き取る工程、
収容袋を密封する工程、
を有することを特徴とする請求項１から５のいずれかに記載の寝具の圧縮梱包方法。
【請求項６】
巻き取り用回転部材に保持棒の全長方向に進退する押し出し部材を設け、上記押し出し部材により保持棒の回りに巻き付けた寝具を離脱方向に押し出す請求項５記載の寝具の圧縮梱包方法。
【請求項７】
巻き取り機の巻き取り用回転部材に沿って、巻き取りに際し寝具を保持棒との間に押さえ付ける押さえ板を設けた請求項１から６のいずれかに記載の寝具の圧縮梱包方法。
【請求項８】
寝具を巻き取るための複数本の保持棒を円陣状に配した巻き取り用回転部材を円陣の中心を回転中心として、動力により回転自在に設けたことを特徴とする寝具の圧縮梱包用巻き取り機。
【請求項９】
巻き取り用回転部材は複数本の保持棒を円陣状に配して突設した回転基板と、上記回転基板が着脱自在に外挿される回転軸からなる請求項８記載の寝具の圧縮梱包用巻き取り機。
【発明の詳細な説明】
【技術分野】
【０００１】
本願発明は例えば羽毛布団のような寝具の嵩を保管や輸送に際して小さくするための圧縮梱包方法に関する。
【背景技術】
【０００２】
羽毛布団は詰められた羽毛により嵩高とすることにより大量の空気を含ませ高い保温性能を維持している。
【０００３】
しかしながら、その反面、重量の割に嵩張り、保管や輸送の上でネックとなっていた。また、そのままの状態で保管したり輸送するといわゆる羽毛臭が発生してしまう問題があった。
【０００４】
前者の問題は特に運賃が高騰している昨今においては見過ごせず羽毛布団のコスト増加の原因となっていた。
【０００５】
後者の問題は、通常、羽毛布団を室温３０℃、湿度８０％の室内に２４時間以上置くと、いかなる鳥種、ダウン種の羽毛でも臭いが発生してしまうことは避けられず、商品性の低下を来していた。
【０００６】
前記に関し、従来、布団を拡げた状態で袋に詰め、袋内の空気を吸引することにより偏平化して嵩を小さくする試みがなされていた（例えば特許文献１）。
【０００７】
また、布団を巻き取り、袋に詰める試みもなされていた（例えば特許文献２）。
【先行技術文献】
【特許文献】
【０００８】
【特許文献１】特開２０１５−２４０７２６
【特許文献２】特開２００６−７６６０７
【発明の開示】
【発明が解決しようとする課題】
【０００９】
しかしながら、前者の従来技術においては羽毛が過度に圧縮されることで、嵩高の復元が困難になってしまうのと、開封時に側生地の皺が消えないという２つの問題が発生した。
【００１０】
一方、後者の従来技術においては羽毛布団を手作業で小さく巻き取ることは困難であり、さらに嵩を小さくするために羽毛布団を折り畳んだものを手作業で小さく巻き取ることは事実上不可能であった。
【００１１】
本願発明は以上の従来技術の問題点に鑑みて創作されたものであり、羽毛布団などの寝具を嵩高の復元を可能にした状態で、かつ皺にならずに可及的に小さく圧縮梱包する方法を提供することを目的として創作されたものである。
【課題を解決するための手段】
【００１２】
すなわち、本願発明の寝具の圧縮梱包方法は、
円陣状に配される複数本の保持棒からなる巻き取り用回転部材を円陣の中心を回転中心として回転自在に設けた巻き取り機を用意し、
寝具を折り曲げて重ねる工程、
重ねた寝具の折り曲げ箇所を巻き取り機中の保持棒の一つに引っかける工程、
巻き取り用回転部材を回転させることにより、保持棒の一つに引っかけた寝具を保持棒の回りに巻き付けて中空状に巻き取る工程、
を有することを特徴とする寝具の圧縮梱包方法。
を有することを特徴とする。
【００１３】
また、請求項２記載の発明は、前記の寝具の圧縮梱包方法において、巻き取り機の巻き取り用回転部材は２本から６本のうちのいずれかの本数の保持棒を有することを特徴とする。
【００１４】
また、請求項５記載の発明は、前記の寝具の圧縮梱包方法において、
円陣状に配される複数本の保持棒からなる巻き取り用回転部材を円陣の中心を回転中心として回転自在に設けた巻き取り機を用意し、
寝具を折り曲げて重ねる工程、
重ねた寝具の折り曲げ箇所を巻き取り機中の保持棒の一つに引っかける工程、
巻き取り用回転部材を回転させることにより、保持棒の一つに引っかけた寝具を保持棒の回りに巻き付けて中空状に巻き取る工程、
巻き取った寝具を巻き取り用回転部材から外して収容袋に収容する工程、
収容袋内の空気を抜き取る工程、
収容袋を密封する工程、
を有することをことを特徴とする。
【００１５】
また、請求項６記載の発明は、前記の寝具の圧縮梱包方法において、巻き取り用回転部材に保持棒の全長方向に進退する押し出し部材を設け、上記押し出し部材により保持棒の回りに巻き付けた寝具を離脱方向に押し出すことを特徴とする。
【００１６】
また、請求項７記載の発明は、前記の寝具の圧縮梱包方法において、巻き取り機の巻き取り用回転部材に沿って、巻き取りに際し寝具を保持棒との間に押さえ付ける押さえ板を設けたことを特徴とする。
【００１７】
また、ここでは寝具を巻き取るための複数本の保持棒を円陣状に配した巻き取り用回転部材を円陣の中心を回転中心として、動力により回転自在に設けたことを特徴とする寝具の圧縮梱包用巻き取り機も請求項８記載の発明として開示することとする。
【００１８】
また、請求項９記載の発明は、前記の寝具の圧縮梱包用巻き取り機において、巻き取り用回転部材は複数本の保持棒を円陣状に配して突設した回転基板と、上記回転基板が着脱自在に外挿される回転軸からなることを特徴とする。
【発明の効果】
【００１９】
以上の構成よりなる本願発明の寝具の圧縮梱包方法によれば、寝具は保持棒の回りに巻き付けられて中空状に巻き取られるので、単純にプレスや極限までの脱気を行う従来技術の梱包方法と異なり中心に隙間を残した“緩やかな”巻取り式の圧縮処理を施すという方法になる。これにより、開封時に羽毛の嵩高は短時間で復元し、側生地の皺は許容範囲レベルの仕上がりにすることが可能となった。また、その皺も、数日放置するとほぼ消えて目立たなくなる。
【００２０】
一方、寝具は重ねた寝具の折り曲げ箇所を巻き取り機中の保持棒の一つに引っかけて、巻き取り用回転部材の回転により保持棒の回りに巻き付けるので、手作業では困難であった巻き取りが容易であり、しかも手作業では事実上不可能な羽毛布団を折り畳んだものを巻き取ることができるので梱包時に嵩をより小さくすることが可能となる。
【００２１】
同時に、請求項５記載の発明によれば巻き取られた寝具は収容袋に収容されて空気を抜き取り密封するので、羽毛臭が発生することが防止される。
【００２２】
次に請求項６記載の発明によれば、巻き取り用回転部材に保持棒の全長方向に進退する押し出し部材を設け、上記押し出し部材により保持棒の回りに巻き付けた寝具を離脱方向に押し出すので、巻き付けた寝具を巻き取り用回転部材から容易に取り出すことができる。しかも、この場合、請求項７記載の発明のように、巻き取り機の巻き取り用回転部材に沿って、巻き取りに際し寝具を保持棒との間に押さえ付ける押さえ板を設ければ、巻き取った寝具が開いてしまうことが防止され、一人の作業者で容易に梱包作業を行うことが可能となる。
【００２３】
また、請求項９記載の寝具の圧縮梱包用巻き取り機においては、巻き取り用回転部材を複数本の保持棒を円陣状に配して突設した回転基板と、上記回転基板が着脱自在に外挿される回転軸から構成するので、保持棒の本数を変えた複数の回転基板をアタッチメントとして用意すれば一台の圧縮梱包用巻き取り機で厚みの異なる様々な寝具に対応することが可能となる。
【図面の簡単な説明】
【００２４】
【図１】本願発明の寝具の圧縮梱包方法に使用する圧縮梱包用巻き取り機の側面図。
【図２】同上、要部の一部切り欠き側面図。
【図３】本願発明の寝具の圧縮梱包方法の作業工程を示す要部の斜視図。
【図４】同上、要部の斜視図
【図５】同上、要部の斜視図
【図６】本願発明の寝具の圧縮梱包方法に使用する圧縮梱包用巻き取り機の異なる実施例の斜視図。
【図７】同上、使用状態を示す斜視図
【図８】同上、使用状態を示す斜視図
【発明を実施するための最良の形態】
【００２５】
以下、本願発明の寝具の圧縮梱包方法の具体的実施例を添付図面に基づき説明する。ここでは寝具として羽毛布団Ｓを例にとり説明するが、寝具はこれに限らず、羽毛枕やクッション、あるいは羽毛以外の詰め物を使用した寝具であってもよいことはもちろんである。
【００２６】
図１〜図２は本願発明の寝具の圧縮梱包方法の実施に際して使用する圧縮梱包用巻き取り機を示す図で、図中符号１は圧縮梱包用巻き取り機である。この巻き取り機は基台上に羽毛布団Ｓを巻き取るための巻き取り用回転部材１０を設けた構成よりなる。
【００２７】
巻き取り用回転部材１０は巻き取る布団の幅に応じた長さを有する複数本の保持棒１３を円陣状に配して突設した回転基板１２を有し、上記回転基板は円陣の中心を回転中心として回転自在とされる。ここでは上記回転基板１２は、巻き取り機の前方に突設され、巻き取り機の基台上に配したモータＭにより回転駆動されるた回転軸１１に着脱自在に外挿される（図２参照）。
【００２８】
保持棒１３はここでは４本設けているが、本数はこれに限定されないことは勿論であり、巻き取り対象となる寝具の厚みに応じて、例えば２本〜６本、あるいはそれ以上の本数を設けてもよいことは勿論である。前記したように、この実施例においては保持棒１３を突設した回転基板１２を回転軸１１に着脱自在に外挿しているので、保持棒の本数を変えた複数の回転基板をアタッチメントとして用意すれば一台の圧縮梱包用巻き取り機で厚みの異なる様々な寝具に対応することが可能となる。
【００２９】
前記の巻き取り用回転部材１０には保持棒１３の全長方向に進退する押し出し部材１４が設けられる。ここでは上記押し出し部材１４は板状のものが貫通孔により保持棒１３に貫挿されるもので、シリンダ１８により全長方向に駆動されるロッド１９により全長方向に進退させる（図２参照）。この押し出し部材１４は保持棒の回りに巻き付けた布団Ｓを離脱方向に押し出すためのものである。
【００３０】
また、前記の巻き取り用回転部材１０には巻き取りに際し寝具を保持棒との間に押さえ付ける押さえ板１５が設けられる。上記押さえ板１５は断面円弧状のものが保持棒１３に沿って配されるもので、ここではシリンダ１６により上下方向に駆動されるロッド１７により昇降自在とされる。
【００３１】
以下、図３〜図５に沿って本願発明の圧縮梱包方法の作業工程を説明する。
【００３２】
（第１工程）
布団Ｓを折り曲げて重ねる。ここでは先ず幅方向に４つ折りすることにより巻き幅をコンパクトにしている。
【００３３】
（第２工程）
長さ方向に折り曲げられた布団Ｓは折り曲げ箇所を巻き取り機１の巻き取り用回転部材１０中の保持棒１３の一つに引っかける（図３）。
【００３４】
（第３工程）
ついで、巻き取り用回転部材１０を回転させることにより、保持棒１３の一つに引っかけた寝具Ｓを保持棒の回りに巻き付けて、保持棒を芯とした中空円筒状に巻き取る（図３〜４）。
【００３５】
（第４工程）
巻き取りが完了した布団Ｓは巻き取り終端が押さえ板１５により保持棒側との間に押さえ付けられるので開いてしまうことが防止される（図４〜５）。
【００３６】
（第５工程）
図示しない収容袋を布団に外挿し、押し出し部材により布団を離脱方向に押し出す（図５）。
【００３７】
布団を収容した収容袋を図示しない真空シーラにより脱気するとともにシールして梱包を完了する。
【００３８】
図６〜８は圧縮梱包用巻き取り機の異なる実施例を示す図である。図中符号２は圧縮梱包用巻き取り機である。この巻き取り機は基台上に羽毛布団Ｓを巻き取るための巻き取り用回転部材２０を設けた構成よりなる。
【００３９】
巻き取り用回転部材２０は巻き取る布団の幅に応じた長さを有する複数本の保持棒２３を円陣状に配して突設した回転基板２２を有し、上記回転基板は円陣の中心を回転中心として回転自在とされる。ここでは上記回転基板２２は、巻き取り機の前方に突設され、巻き取り機内に配したモータにより回転駆動されるた回転軸に着脱自在に外挿される。
【００４０】
保持棒２３はここでは３本設けているが、本数はこれに限定されないことは勿論であり、巻き取り対象となる寝具の厚みに応じて、例えば２本〜６本あるいは、それ以上の本数を設けてもよいことは勿論である。前記したように、この実施例においては保持棒２３を突設した回転基板２２を回転軸に着脱自在に外挿しているので、保持棒の本数を変えた複数の回転基板をアタッチメントとして用意すれば一台の圧縮梱包用巻き取り機で厚みの異なる様々な寝具に対応することが可能となる。
【００４１】
前記の巻き取り用回転部材２０には保持棒２３の全長方向に進退する押し出し部材１４が設けられる。ここでは上記押し出し部材２４は板状のものが貫通孔により保持棒２３に貫挿されるもので、シリンダ２８により全長方向に駆動されるロッド２９により全長方向に進退させる（図８参照）。この押し出し部材２４は保持棒の回りに巻き付けた布団Ｓを離脱方向に押し出すためのものである。
【００４２】
また、前記の巻き取り用回転部材２０には巻き取りに際し寝具を保持棒との間に押さえ付ける押さえ板２５が設けられる。上記押さえ板２５は断面円弧状のものが保持棒２３に沿って配されるもので、ここではシリンダ２６により上下方向に駆動されるロッド２７により昇降自在とされる（図６参照）。
【符号の説明】
【００４３】
Ｍ      モータ
Ｓ      寝具（羽毛布団）                          
１      圧縮梱包用巻き取り機                      
２      圧縮梱包用巻き取り機                      
１０    巻き取り用回転部材                        
１１    回転軸
１２    回転基板
１３    保持棒                                    
１４    押し出し部材
１５    押さえ板
１６    シリンダ
１７    ロッド
１８    シリンダ
１９    ロッド
２０    巻き取り用回転部材                        
２２    回転基板
２３    保持棒                                    
２４    押し出し部材
２５    押さえ板
２６    シリンダ
２７    ロッド
２８    シリンダ
２９    ロッド
【図１】
2019151400.tif 000003
【図２】
2019151400.tif 000004
【図３】
2019151400.tif 000005
【図４】
2019151400.tif 000006
【図５】
2019151400.tif 000007
【図６】
2019151400.tif 000008
【図７】
2019151400.tif 000009
【図８】
2019151400.tif 000010